(57)【特許請求の範囲】
【請求項１】
柔軟性及び弾性を有し、幅方向に屈曲自在の帯状部材より成り、この帯状部材の長さ方向に所定幅の付着部と庇部が設けられ、前記庇部に連続したフレア又は所定間隔の切り目が幅方向に設けられ、前記付着部を容器の開口部周辺に付着し、かつ前記庇部の全部又は一部を容器開口部から内側方向に突出させるようにした容器用内容物取出し補助具。
【請求項２】
前記庇部が１ｍｍ以上の突出幅を有する請求項１に記載の容器用内容物取出し補助具。
【請求項３】
前記庇部が５ｍｍを超える突出幅を有する請求項１又は２に記載の容器用内容物取出し補助具。
【請求項４】
前記庇部の柔軟性、弾性が４Ｍｐａ・ｍｍ以上、５００Ｍｐａ・ｍｍ以下である請求項１〜３のいずれかに記載の容器用内容物取出し補助具。
【請求項５】
前記庇部の突出部と容器周壁との角度が１０度以上、垂直線との角度が１８０度以下である請求項１〜４のいずれかに記載の容器用内容物取出し補助具。
【請求項６】
前記帯状部材の長さ方向に容器取り付け用の基準線が設けられた請求項１に記載の容器用内容物取出し補助具。
【請求項７】
前記基準線が折り目線より成る請求項６に記載の容器用内容物取出し補助具。
【発明の詳細な説明】
【０００１】
【発明の技術分野】
この発明は、容器から内容物をスプーン等で取出す際に容器に付着する補助具に関する。
【０００２】
【従来の技術】
例えば椀状食器や食品を収納してそのまま食器として用いられる容器は、周壁が底壁から垂直又は外側に開くテーパ状になったものが普通で、乳幼児や老人或は障害者等で手の動作が不自由な者の場合、スプーンやフォークで容器から内容物をすくうようにして取出す際に、内容物が開口縁やフランジを乗り越えて容器の外にこぼしてしまったり、また容器を傾けた際に内容物をこぼしてしまうことがあった。
【０００３】
そのため、周壁の上端部を内側に傾斜させた返り部を形成し、開口部を狭くした容器がある。しかしながら、このような容器では、スプーン等で内容物をすくう際、返り部に引掛かったり、返り部の隅に内容物が詰まり、うまくすくうことができず返り部がかえって障害になることが多い。勿論返り部がごく狭いと前述の通常の容器と同じような問題が生じ、あまり幅が広いと内容物を取り出す際の前記のような障害がさらに増幅される。また、容器を積み重ねるスタッキングができないため、運送や保管にスペースを多く必要とする問題もある。
【０００４】
【発明の課題】
上記のような問題を解決するため、食器兼用容器の開口部近辺に内側方向に突出する柔軟性、弾性を有する庇部を設ける提案がなされている（特願２０００−１５２９５２）。しかしながら、この庇部は、その容器だけに有効で他の容器に用いることができず、また容器に取り付けるためにヒートシール機を必要とする場合には、何時でも何処でも使用できるものではない。そのほか、容器に庇部を形成した状態で複数の容器を持ち運びするには嵩高となる問題もある。
【０００５】
そこで、この発明の課題は、任意の形状、サイズの容器に使用することができる内容物取出し補助具を提案することである。
【０００６】
この発明の第２の課題は、手で容器に簡単に取り付けることができる内容物取出し補助具を提供することである。
【０００７】
【課題の解決手段】
上記の課題を解決するため、この発明においては、内容物取出し補助具を柔軟性及び弾性を有し幅方向に屈曲自在の帯状部材によって形成し、この帯状部材の長さ方向に所定幅の付着部と庇部を設け、この庇部に連続したフレア又は所定間隔の切り目を幅方向に設け、前記付着部を容器の開口部周辺に付着し、前記庇部の全部又は一部を容器開口部の内側方向に突出させるようにしたのである。
【０００８】
前記庇部の突出幅は１ｍｍ以上、好ましくは５ｍｍを超えるのがよい。前記柔軟性、弾性は、４Ｍｐａ・ｍｍ〜５００Ｍｐａ・ｍｍが好ましい。庇部と容器の周壁との角度は１０度以上、垂直線との角度は１８０度以下がよい。また、前記帯状部材の長さ方向に容器取り付け用基準線を設けておくことができる。この基準線は折り目線であってもよい。
【０００９】
【実施の形態】
以下、この発明の実施形態を添付図面に基づいて説明する。図１及び図２に示すように、内容物取出し補助具１は、帯状部材の長さ方向に付着部２と庇部３とに設けたものであって庇部３には、細かい山形状フレア（ｆｌａｒｅ）３ａが連続して設けられている。この補助具１を取り付ける基準線４は識別可能な線を画いておくのが好ましいが、特に折り目線４ａにしておくと後述する容器への取り付けに便利である。なお、山形状フレア３ａの内端は、基準線４に達していなくてもよい。
【００１０】
上記帯状部材は、合成樹脂フィルム又はシート、紙、不織布等の単体又は複合体より成り、一定の柔軟性かつ復元弾性のある材料によって形成され、庇部３のうち容器内への突出幅Ｗが一定以上なければならない。柔軟性及び復元弾性の指標として引張り弾性率×厚さを用いると、４Ｍｐａ・ｍｍ以上、５００Ｍｐａ・ｍｍ以下が好ましい。庇部３の突出幅Ｗは１ｍｍ以上、特に５ｍｍを超え２０ｍｍ以下がよい。
【００１１】
図３に示すように、前記フレア３ａに代えて幅方向の貫通切り目３ｂを適宜間隔で設けてもよい。この切り目３ｂは図３（イ）のような直線状のほか、図３（ロ）のようなＶ字形やＵ字形等でもよい。また切り目３ｂの内端は、基準線４に達していてもいなくてもよい。
【００１２】
上記フレア３ａ及び切り目３ｂは帯状部材の幅方向の屈曲性を良好にするために設けられたものである。従って付着部２にもフレア及び切り目を設けることができる。庇部３と付着部２のいずれにフレアを設け、いずれに切り目を設けるかの選択は任意である。
【００１３】
図４に示すように、付着部２の内面に粘着剤層５を設け、その外面を離型紙６で被覆しておくことができる。取り付けの便宜をはかるためである。
【００１４】
上記のような補助具１の取り付け方法を説明する。図５及び図６はフランジ付き容器を示す。図示のように、容器１０は、底壁１１及び周壁１２を有し、開口部外周にはフランジ１３が設けられている。このフランジ１３に補助具１を取り付けるには、図４の離型紙６を剥離し、図５に示すように、基準線４（折り目線４ａ）をフランジ１３の外周縁に合わせ、付着部２をフランジ１３の下面から周壁１２の上端部外面に沿わせて貼り着ける。このとき庇部３の容器１０内側方向への突出幅Ｗは前述のように５ｍｍを超えているのが好ましい。図６に示すように、フランジ１３の幅が広く、付着部２の幅がほぼフランジ１３の幅と同じ場合には、フランジ１３の内周縁に基準線４を合わせて貼り着ける。また、図７に示すように、フランジ１３の無い食器のような容器１０の場合には、基準線４を周壁１２の上端に合わせ付着部２を周壁１２の外面に貼り着けるのがよい。このとき、庇部３を周壁１２の内面上端から少し落し込んだ部分から突出させてもよい。前記図５及び図６の場合も同様に周壁１２の内面上端から落し込んで庇部３を突出させることができる。これら庇部３は必ずしも水平に突出していなくてもよく、図８に示すように、周壁１２との角度θが１０度以上、垂直線との角度γが１８０度以下、好ましくは１２０度以下であればよい。なお、付着部２は粘着剤層５を設けずに、別途粘着剤や接着剤或はクリップ等を用いて容器１０に付着してもよい。また容器１０に離型紙で被覆した粘着剤層を予め設けておくことができる。
【００１５】
上記補助具１は必ずしも容器１０の全周に設ける必要はなく、内容物を取出す部分のみに設けてもよい。こうして補助具１を取り付け、庇部３を形成すると、図９に示すように、スプーンＳで内容物Ｃをすくい出す際に、柔軟性、弾性を有する庇部３が内容物Ｃを被うように押圧するため、容器開口部から外側に内容物Ｃがこぼれ落ちるのを防止することができる。また、容器を傾けたり、衝撃が加えられても、容器内の内容物の遺漏を防止することができる。
【００１６】
上記容器の材料は、合成樹脂、紙、金属、ガラス、陶磁器などいずれでもよく、形状、サイズも問わない。通常の手で持ち上げられる容器以外にも、食卓又は机に置いたままで用いられる大皿や大鉢等も含まれる。また、食品を収納して販売される容器以外に塗料用容器のように、「こぼれ難い」、「すくい易い」などの機能を必要とする用途にも使用可能である。
【００１７】
【発明の効果】
この発明によれば、以上のように、柔軟性、弾性を有し幅方向に屈曲自在の帯状部材で内容物取出し補助具を形成したので、容器の形状に拘らず容器開口部に取り付けることができ、帯状部材を適当な長さに切断すれば、容器のサイズにも合わせることができる。
【００１８】
そして、容器の開口部内周に柔軟で弾性のある庇部を形成できるので、内容物をスプーン等ですくう際に庇部が内容物を柔らかく押圧し、内容物が容器外にこぼれるのを防止することができる。また、容器を多少傾けても、庇部が内容物の遺漏を防止する。
【図面の簡単な説明】
【図１】この発明の内容物取出し補助具の一例を示す平面図
【図２】同上の斜視図
【図３】内容物取出し補助具の他の例を示す平面図
【図４】内容物取出し補助具の横断面図
【図５】容器に内容物取出し補助具を取り付けた一例を示す縦断面図
【図６】容器に内容物取出し補助具を取り付けた他の例を示す縦断面図
【図７】容器に内容物取出し補助具を取り付けたさらに他の例を示す縦断面図
【図８】庇部の角度を示す縦断線図
【図９】庇部の作用説明用縦断面図
【符号の説明】
１  内容物取出し補助具
２  付着部
３  庇部
３ａ  フレア
３ｂ  貫通切り目
４  基準線
４ａ  折り目線
５  粘着剤層
６  離型紙
１０  容器
１１  底壁
１２  周壁
１３  フランジ
Ｓ  スプーン
Ｃ  内容物
Ｐ  垂直線
θ  角度
γ  角度
【図１】
0004676075.tif 000002
【図２】
0004676075.tif 000003
【図３】
0004676075.tif 000004
【図４】
0004676075.tif 000005
【図５】
0004676075.tif 000006
【図６】
0004676075.tif 000007
【図７】
0004676075.tif 000008
【図８】
0004676075.tif 000009
【図９】
0004676075.tif 000010